(57)【要約】【課題】ラフな操作で多数の選択肢を選択できるようにする。【解決手段】ディスプレイ５５上にタッチパネル５６が設けられたタッチパネルユニット５７において、ユーザがパネル面５６ａの検知領域Ｒに１回触れると、その検知領域Ｒ内に配置されたボタンＢのいずれか１つが選択候補に指定され、さらにユーザが同一の検知領域Ｒに連続的に２回触れると、選択候補に指定されたボタンＢが選択される。【選択図】　　　図６
2004094394.tif 000002
【特許請求の範囲】
【請求項１】
タッチパネルのパネル面への接触を検知して、複数の選択肢のうちのいずれか１つを選択するタッチパネル入力装置であって、
前記パネル面への第１態様の接触があったときに、前記複数の選択肢のうちのいずれか１つを選択候補に指定する指定手段と、
前記指定手段により１つの選択肢が選択候補に指定された状態で前記パネル面への第２態様の接触があったときには、当該選択候補に指定された選択肢を選択する選択手段と
を備えたことを特徴とするタッチパネル入力装置。
【請求項２】
前記指定手段は、前記パネル面への第１態様の接触がある度に、直前に選択候補に指定された選択肢とは異なる選択肢を新たな選択候補に指定することを特徴とする請求項１に記載のタッチパネル入力装置。
【請求項３】
前記選択手段により１つの選択肢が選択された状態で、前記パネル面への第３態様の接触があったときには、当該選択された選択肢を決定されたものと判定し、当該選択肢に割り当てられた所定の処理を実行する第１決定手段を備えたことを特徴とする請求項１または２に記載のタッチパネル入力装置。
【請求項４】
タッチパネルのパネル面への接触を検知して、複数の選択肢のうちのいずれか１つを選択するタッチパネル入力装置であって、
前記パネル面を複数の検知領域に分割し、前記パネル面への第１態様の接触があったときに、その接触位置を含む検知領域に割り当てられた複数の選択肢のうちのいずれか１つを選択候補に指定する指定手段と、
前記指定手段により１つの選択肢が選択候補に指定された状態のときに、前記パネル面において、当該選択候補に指定された選択肢が割り当てられている検知領域への第２態様の接触があったときには、当該選択候補に指定された選択肢を選択する選択手段と
を備えたことを特徴とするタッチパネル入力装置。
【請求項５】
前記指定手段は、前記パネル面における同一の検知領域への第１態様の接触がある度に、当該検知領域に割り当てられた複数の選択肢の中から、直前に選択候補に指定された選択肢とは異なる選択肢を新たな選択候補に指定することを特徴とする請求項４に記載のタッチパネル入力装置。
【請求項６】
前記選択手段により１つの選択肢が選択された状態のときに、前記パネル面において、当該選択された選択肢が割り当てられている検知領域への第３態様の接触があったときには、当該選択された選択肢を決定されたものとして判定し、当該選択肢に割り当てられた所定の処理を実行する第１決定手段を備えたことを特徴とする請求項４または５に記載のタッチパネル入力装置。
【請求項７】
前記選択手段により１つの選択肢が選択された状態で、所定の時間が経過したときには、当該選択された選択肢を決定されたものとして判定し、当該選択肢に割り当てられた所定の処理を実行する第２決定手段を備えたことを特徴とする請求項１ないし６のいずれかに記載のタッチパネル入力装置。
【請求項８】
前記タッチパネルのパネル面と重なり合うように配置されたディスプレイと、
前記ディスプレイに前記複数の選択肢に対応する複数のボタンを第１表示形態でそれぞれ表示する表示手段と、
前記指定手段により１つの選択肢が選択候補に指定されたときには、当該選択肢に対応するボタンの表示形態を第２表示形態に変更すると共に、前記選択手段により１つの選択肢が選択されたときには、当該選択肢に対応するボタンの表示形態を第３表示形態に変更する表示形態変更手段と
を備えたことを特徴とする請求項１ないし７のいずれかに記載のタッチパネル入力装置。
【請求項９】
前記タッチパネルのパネル面と重なり合うように配置されたディスプレイと、
前記ディスプレイに前記複数の選択肢に対応する複数のボタンを第１表示形態でそれぞれ表示する表示手段と、
前記指定手段により１つの選択肢が選択候補に指定されたときには、当該選択肢に対応するボタンの表示形態を第２表示形態に変更し、前記選択手段により１つの選択肢が選択されたときには、当該選択肢に対応するボタンの表示形態を第３表示形態に変更し、前記第１決定手段または第２決定手段により１つの選択肢が決定されたものとして判定されたときには、当該選択肢に対応するボタンの表示形態を第４表示形態に変更する表示形態変更手段と
を備えたことを特徴とする請求項３、６または７に記載のタッチパネル入力装置。
【請求項１０】
前記第１態様は、前記パネル面へ１回接触する態様であり、前記第２態様は、前記パネル面へ連続的に２回接触する態様であることを特徴とする請求項１ないし９のいずれかに記載のタッチパネル入力装置。
【請求項１１】
前記第３態様は、前記第２態様と同じ態様であることを特徴とする請求項１ないし１０のいずれかに記載のタッチパネル入力装置。
【請求項１２】
コンピュータを請求項１ないし１１のいずれかに記載のタッチパネル入力装置として機能させることを特徴とするコンピュータプログラム。
【請求項１３】
タッチパネルのパネル面への接触を検知して、複数の選択肢のうちのいずれか１つを選択するタッチパネル入力方法であって、
前記パネル面への第１態様の接触があったときに、前記複数の選択肢のうちのいずれか１つを選択候補に指定する指定工程と、
前記指定工程において１つの選択肢が選択候補に指定された状態で前記パネル面への第２態様の接触があったときには、当該選択候補に指定された選択肢を選択する選択工程と
を備えたことを特徴とするタッチパネル入力方法。
【請求項１４】
タッチパネルのパネル面への接触を検知して、複数の選択肢のうちのいずれか１つを選択するタッチパネル入力方法であって、
前記パネル面を複数の検知領域に分割し、前記パネル面への第１態様の接触があったときに、その接触位置を含む検知領域に割り当てられた複数の選択肢のうちのいずれか１つを選択候補に指定する指定工程と、
前記指定工程において１つの選択肢が選択候補に指定された状態のときに、前記パネル面において、当該選択候補に指定された選択肢が割り当てられている検知領域への第２態様の接触があったときには、当該選択候補に指定された選択肢を選択する選択工程と
を備えたことを特徴とするタッチパネル入力方法。
【発明の詳細な説明】
【０００１】
【発明の属する技術分野】
本発明は、タッチパネルを用いて機器への入力操作を実現するタッチパネル入力装置およびタッチパネル入力方法に関する。
【０００２】
【従来の技術】
ディスプレイの画面上にタッチパネルを配置し、ディスプレイの画面にボタンを表示し、人間がそのボタンにタッチパネルの上から触れることにより、あたかもボタンを押したかのような入力操作を実現する入力装置は知られている。このようなタッチパネルを用いた入力装置は、例えば、カーオーディオ装置、カーナビゲーション装置、コピー装置、現金自動支払機、自動券売機、携帯情報端末などといった機器のユーザ・インタフェースとして利用されている。
【０００３】
例えば、ＤＶＤを用いたカーオーディオ装置においては、ディスプレイの画面上に上、下、左、右の矢印形状の選択ボタンや決定ボタンが表示される。自動車の運転手は、ディスプレイの画面上においてそれらのボタンに対応する部位に指で触れる（押す）ことにより、選択ボタンや決定ボタンを操作し、ＤＶＤの再生指示の入力などをすることができる。
【０００４】
【発明が解決しようとする課題】
ところで、機器の多機能化に伴い、機器に設けられた様々な機能の選択・操作をユーザが簡単に行うことができるように、タッチパネル入力装置を設計することが望まれる。これを実現するためには、数多くのボタンをディスプレイ画面に同時に表示することが考えられる。
【０００５】
ところが、ディスプレイ画面の面積、タッチパネルの接触位置検出精度、ユーザ・インタフェースとしての操作性などを考慮すると、ディスプレイ画面上に同時に表示することができるボタンの数が制限されるという問題がある。
【０００６】
例えば、カーオーディオ装置においては、カーオーディオ装置が用いられる場所が自動車内であることから、ディスプレイ面積は小さい。その上、カーオーディオ装置のタッチパネルにおいては、指で画面に触れてボタン操作をすることを想定しているため、人間の指先の大きさを考慮して、ボタンの面積やボタンとボタンの間隔は大きい。そのため、ディスプレイ画面に同時に表示できるボタンの数には限りがある。
【０００７】
また、タッチパネルの位置検出精度が低い場合には、ディスプレイ画面に狭い間隔で小さなボタンを多数表示しても、タッチパネル自体がボタンの位置の違いを認識できないため、ユーザによるボタンの指定・選択を実現することができない。この点でも、ボタンの数が制限され、機器に設けられた多数の機能の選択・操作を実現することが困難であるという問題がある。
【０００８】
また、機器に設けられた多くの機能の選択・操作を、少ない数のボタンで可能とするために、操作画面に階層構造を持たせることが考えられる。例えば、多数の機能をグループ分けして階層構造を作り、まず、グループを選択するためのボタンが配置された第１画面を表示する。そして、第１画面中のいずれかのボタンが押されたときには、その押されたボタンに対応するグループに属するサブグループを選択するためのボタンが配置された第２画面を表示する。さらに、第２画面中のいずれかのボタンが押されたときには、その押されたボタンに対応するサブグループに属する複数の機能を選択するためのボタンが配置された第３画面を表示する。
【０００９】
ところが、このように操作画面に階層構造を持たせると、機器の操作が複雑になるという問題がある。
【００１０】
本発明は上記に例示したような問題点に鑑みなされたものであり、本発明の第１の目的は、ラフな操作で複数の選択肢の選択入力を実現することができるタッチパネル入力装置およびタッチパネル入力方法を提供することにある。
【００１１】
また、本発明の第２の目的は、接触位置の検知精度が低いタッチパネルを用いた場合でも多数の選択肢の選択入力を実現することができるタッチパネル入力装置およびタッチパネル入力方法を提供することにある。
【００１２】
【課題を解決するための手段】
上記課題を解決するために請求項１に記載のタッチパネル入力装置は、タッチパネルのパネル面への接触を検知して、複数の選択肢のうちのいずれか１つを選択するタッチパネル入力装置であって、前記パネル面への第１態様の接触があったときに、前記複数の選択肢のうちのいずれか１つを選択候補に指定する指定手段と、前記指定手段により１つの選択肢が選択候補に指定された状態で前記パネル面への第２態様の接触があったときには、当該選択候補に指定された選択肢を選択する選択手段とを備えたことを特徴とする。
【００１３】
上記課題を解決するために請求項４に記載のタッチパネル入力装置は、タッチパネルのパネル面への接触を検知して、複数の選択肢のうちのいずれか１つを選択するタッチパネル入力装置であって、前記パネル面を複数の検知領域に分割し、前記パネル面への第１態様の接触があったときに、その接触位置を含む検知領域に割り当てられた複数の選択肢のうちのいずれか１つを選択候補に指定する指定手段と、前記指定手段により１つの選択肢が選択候補に指定された状態のときに、前記パネル面において、当該選択候補に指定された選択肢が割り当てられている検知領域への第２態様の接触があったときには、当該選択候補に指定された選択肢を選択する選択手段とを備えたことを特徴とする。
【００１４】
上記課題を解決するために請求項１２に記載のコンピュータプログラムは、コンピュータを請求項１ないし１１のいずれかに記載のタッチパネル入力装置として機能させることを特徴とする。
【００１５】
上記課題を解決するために請求項１３に記載のタッチパネル入力方法は、タッチパネルのパネル面への接触を検知して、複数の選択肢のうちのいずれか１つを選択するタッチパネル入力方法であって、前記パネル面への第１態様の接触があったときに、前記複数の選択肢のうちのいずれか１つを選択候補に指定する指定工程と、前記指定工程において１つの選択肢が選択候補に指定された状態で前記パネル面への第２態様の接触があったときには、当該選択候補に指定された選択肢を選択する選択工程とを備えたことを特徴とする。
【００１６】
上記課題を解決するために請求項１４に記載のタッチパネル入力方法は、タッチパネルのパネル面への接触を検知して、複数の選択肢のうちのいずれか１つを選択するタッチパネル入力方法であって、前記パネル面を複数の検知領域に分割し、前記パネル面への第１態様の接触があったときに、その接触位置を含む検知領域に割り当てられた複数の選択肢のうちのいずれか１つを選択候補に指定する指定工程と、前記指定工程において１つの選択肢が選択候補に指定された状態のときに、前記パネル面において、当該選択候補に指定された選択肢が割り当てられている検知領域への第２態様の接触があったときには、当該選択候補に指定された選択肢を選択する選択工程とを備えたことを特徴とする。
【００１７】
【発明の実施の形態】
以下、本発明の実施の形態を図面に基づいて説明する。
【００１８】
（第１実施形態）
本発明の第１実施形態について図１および図２を参照して説明する。
【００１９】
図１はタッチパネルと第１実施形態にかかるタッチパネル入力装置の構成を示すブロック図である。図２はタッチパネルのパネル面上に複数の選択肢が割り当てられていることを示す概念図である。
【００２０】
図１に示すように、第１実施形態にかかるタッチパネル入力装置１０は、タッチパネル２０のパネル面２０ａへの接触を検知して、複数の選択肢のうちのいずれか１つを選択するものである。そして、タッチパネル入力装置１０は、パネル面２０ａへの第１態様の接触があったときに、複数の選択肢のうちのいずれか１つを選択候補に指定する指定手段１１と、指定手段１１により１つの選択肢が選択候補に指定された状態でパネル面２０ａへの第２態様の接触があったときには、当該選択候補に指定された選択肢を選択する選択手段１２とを備えている。
【００２１】
図２に示すように、タッチパネル２０のパネル面２０ａに、例えば選択肢ＳＬ１〜ＳＬ５が割り当てられているとする。この場合、ユーザがパネル面２０ａに第１態様で触れると、指定手段１１は、これを検知し、選択肢ＳＬ１〜ＳＬ５のうちいずれか１つの選択肢を選択候補に指定する。
【００２２】
ユーザがパネル面２０ａに第１態様で触れたときに、指定手段１１が選択肢ＳＬ１〜ＳＬ５のうちのどの選択肢を選択候補に指定するかについては、様々な構成が考えられる。例えば、パネル面２０ａへの第１態様の接触がある度に、直前に選択候補に指定された選択肢とは異なる選択肢を新たな選択候補に指定する構成としてもよい。具体的には、ユーザがパネル面２０ａに第１態様で初めて触れたときには、選択肢ＳＬ１を選択候補に指定し、第１態様で再び触れたときには、選択肢ＳＬ１を選択候補から外し、新たに選択肢ＳＬ２を選択候補に指定する。さらに第１態様で再び触れたときには、選択肢ＳＬ２を選択候補から外し、選択肢ＳＬ３を新たな選択候補に指定する。
【００２３】
そして、指定手段１１により１つの選択肢が選択候補に指定された状態で、ユーザがパネル面２０ａを第２態様で触れると、選択手段１２は、これを検知し、当該選択候補に指定されている選択肢を選択する。
【００２４】
パネル面２０ａに接触する態様には、第１態様と第２態様がある。例えば、第１態様を、パネル面２０ａへ１回接触する態様（シングルタッチ）とし、第２態様を、パネル面２０ａへ連続的に２回接触する態様（ダブルタッチ）としてもよい。また、第１態様を、パネル面２０ａに短時間接触する態様とし、第２態様を、パネル面２０ａに長時間接触する態様としてもよい。さらに、第１態様を、パネル面２０ａに弱い力で接触する態様とし、第２態様を、パネル面２０ａに強い力で接触する態様としてもよい。なお、第１態様と第２態様とが識別可能な異なる態様であれば、どのような態様でもよい。
【００２５】
このような第１実施形態にかかるタッチパネル入力装置によれば、ユーザはラフな操作で複数の選択肢の中から所望の１つの選択肢を容易に選択することができる。すなわち、ユーザが複数の選択肢の中から所望の１つの選択肢を選択するのに必要な動作は、例えば、パネル面に１回触れる動作と、パネル面に連続的に２回触れる動作だけである。パネル面の所定の狭い領域（例えば小さなボタン）に正確に触れるといった慎重な動作や神経を集中させなければならない動作は不要である。また、パネル面上に設けられた複数のボタンを押し分けるといった複雑な動作も不要である。
【００２６】
また、第１実施形態にかかるタッチパネル入力装置１０によれば、例えばパネル面に１回触れる動作と、パネル面に連続的に２回触れる動作だけで、選択肢を選択することができるので、接触位置の検知精度が低いタッチパネルを用いた場合でも、多数の選択肢の中から１つの選択肢を選択するという入力操作を簡単に実現することができる。
【００２７】
また、第１実施形態にかかるタッチパネル入力装置１０において、選択手段１２により１つの選択肢が選択された状態で、パネル面２０ａへの第３態様の接触があったときには、当該選択された選択肢を決定されたものと判定し、当該選択肢に割り当てられた所定の処理を実行する第１決定手段を備えてもよい。なお、第３態様は、第１態様および第２態様と異なる態様としてもよいし、第３態様を、第２態様と同じ態様としてもよい。例えば、第３態様を、パネル面２０ａへ連続的に２回接触する態様としてもよい。
【００２８】
これにより、簡単な操作で、選択された選択肢を決定させることができる。
【００２９】
また、第１実施形態にかかるタッチパネル入力装置１０において、選択手段１２により１つの選択肢が選択された状態で、所定の時間が経過したときには、当該選択された選択肢を決定されたものとして判定し、当該選択肢に割り当てられた所定の処理を実行する第２決定手段を備えてもよい。
【００３０】
これにより、ユーザは選択された選択肢を決定する操作をしなくても、選択された選択肢を決定させることができる。すなわち、ユーザが１つの選択肢を選択した場合、ユーザはその選択肢の決定を意図していることが予想される。しかし、ユーザが誤った選択肢を選択した場合などには、選択肢の変更も予想される。そこで、所定時間待機してから選択された選択肢を決定する構成とすれば、ユーザの意図に沿った選択肢の決定を自動的に行うことができる。これにより、入力操作の操作性を向上させることができる。所定時間は、例えばこのような趣旨を考慮して設定され、具体的には、所定時間は２〜３秒程度が望ましいが、これに限るものではない。
【００３１】
なお、第２決定手段により所定時間の経過に基づく選択肢の自動決定を行うか否かを、ユーザが任意に設定することができる構成としてもよい。また、所定時間についても、ユーザが任意に設定することができる構成としてもよい。
【００３２】
さらに、第１実施形態にかかるタッチパネル入力装置１０において、タッチパネル２０のパネル面２０ａと重なり合うように配置されたディスプレイと、ディスプレイに複数の選択肢に対応する複数のボタンを第１表示形態でそれぞれ表示する表示手段と、指定手段１１により１つの選択肢が選択候補に指定されたときには、当該選択肢に対応するボタンの表示形態を第２表示形態に変更すると共に、選択手段１２により１つの選択肢が選択入力されたものと判定されたときには、当該選択肢に対応するボタンの表示形態を第３表示形態に変更する表示形態変更手段とを追加してもよい。
【００３３】
また、第１実施形態にかかるタッチパネル入力装置１０に第１決定手段または第２決定手段を設ける場合には、タッチパネル２０のパネル面２０ａと重なり合うように配置されたディスプレイと、ディスプレイに前記複数の選択肢に対応する複数のボタンを第１表示形態でそれぞれ表示する表示手段と、指定手段１１により１つの選択肢が選択候補に指定されたときには、当該選択肢に対応するボタンの表示形態を第２表示形態に変更し、選択手段１２により１つの選択肢が選択されたときには、当該選択肢に対応するボタンの表示形態を第３表示形態に変更し、第１決定手段または第２決定手段により１つの選択肢が決定されたものとして判定されたときには、当該選択肢に対応するボタンの表示形態を第４表示形態に変更する表示形態変更手段とを追加してもよい。
【００３４】
このように、ディスプレイ、表示手段および表示形態変更手段を追加した構成によれば、ユーザは、ディスプレイ上に表示されたボタンの表示形態を見ることによって、指定された選択肢、選択された選択肢、または決定された選択肢が何であるかを容易に確認することができる。したがって、タッチパネル入力装置の操作性を向上させることができる。
【００３５】
（第２実施形態）
本発明の第２実施形態について図３および図４を参照して説明する。
【００３６】
図３はタッチパネルと第２実施形態にかかるタッチパネル入力装置の構成を示すブロック図である。図４はタッチパネルの画面上に複数の選択肢が割り当てられていることを示す概念図である。
【００３７】
図３に示すように、第２実施形態にかかるタッチパネル入力装置３０は、タッチパネル２０のパネル面２０ａへの接触を検知して、複数の選択肢のうちのいずれか１つを選択するものである。そして、タッチパネル入力装置３０は、パネル面２０ａを複数の検知領域に分割し、パネル面２０ａへの第１態様の接触があったときに、その接触位置を含む検知領域に割り当てられた複数の選択肢のうちのいずれか１つを選択候補に指定する指定手段３１と、指定手段３１により１つの選択肢が選択候補に指定された状態のときに、パネル面２０ａにおいて、当該選択候補に指定された選択肢が割り当てられている検知領域への第２態様の接触があったときには、当該選択候補に指定された選択肢を選択する選択手段３２とを備えている。
【００３８】
図４に示すように、タッチパネル２０のパネル面２０ａを大まかに例えば４つに分割して設けた検知領域Ａ１〜Ａ４のうち、検知領域Ａ１に例えば選択肢ＳＬ１１〜ＳＬ１３が割り当てられているとする。この場合、ユーザがパネル面２０ａの検知領域Ａ１に第１態様で触れると、指定手段３１は、選択肢ＳＬ１１〜ＳＬ１３のうちいずれか１つの選択肢を選択候補に指定する。なお、指定手段３１が選択肢ＳＬ１１〜ＳＬ１３のうちのどの選択肢を選択候補に指定するかについては様々な構成が考えられるが、これについては第１実施形態と同様な構成とすればよい。
【００３９】
そして、指定手段３１により、検知領域Ａ１に割り当てられた選択肢ＳＬ１１〜ＳＬ１３のうちの１つの選択肢が選択候補に指定された状態で、ユーザがパネル面２０ａの検知領域Ａ１を第２態様で触れると、選択手段３２は、当該選択候補に指定されている選択肢を選択する。
【００４０】
また、図４に示すように、検知領域Ａ２に例えば選択肢ＳＬ１４およびＳＬ１５が割り当てられている場合にも同様に、ユーザがパネル面２０ａの検知領域Ａ２に第１態様で触れると、指定手段３１は、選択肢ＳＬ１４およびＳＬ１５のうちいずれか１つの選択肢を選択候補に指定する。そして、指定手段３１により選択肢ＳＬ１４およびＳＬ１５のうちの１つの選択肢が選択候補に指定された状態で、ユーザがパネル面２０ａの検知領域Ａ２に第２態様で触れると、選択手段３２は、当該選択候補に指定されている選択肢を選択する。
【００４１】
さらに、検知領域Ａ３に例えば選択肢ＳＬ１６〜ＳＬ１８が割り当てられている場合や、検知領域Ａ４に例えば選択肢ＳＬ１９〜ＳＬ２２が割り当てられている場合でも同様に、選択候補の指定および選択を行うように構成することができる。
【００４２】
このような第２実施形態にかかるタッチパネル入力装置３０によれば、ユーザは、パネル面を大まかに分割することによって設けられた検知領域のいずれか１つに触れるといったラフな操作で、多数の選択肢の中から所望の１つの選択肢を容易に選択入力することができる。例えば、図４に示すように、パネル画面を大まかに４つに分けることによって検知領域Ａ１〜Ａ４を設け、これら検知領域Ａ１〜Ａ４に合計１２個の選択肢を割り当てれば、ユーザは、比較的広い面積を有する検知領域Ａ１ないしＡ４のうちいずれかの検知領域に第１態様で触れる動作と、続いて同一の検知領域に第２態様で触れる動作をするだけで、１２個の選択肢のうちから１つを選択することができる。すなわち、１２個の選択肢に対応する１２個のボタンのうちの１個を正確に押すといった慎重できめ細やかな動作は不要である。なお、接触の態様として、第１態様と第２態様があるが、これらの具体的内容は第１実施形態にかかるタッチパネル入力装置１０と同様である。
【００４３】
また、第２実施形態にかかるタッチパネル入力装置３０によれば、比較的広い面積を有する検知領域に第１態様で触れる動作と、その検知領域に第２態様で触れる動作だけで、特定の選択肢を選択することができるので、接触位置の検知精度が低いタッチパネルを用いた場合でも、多数の選択肢の中から１つの選択肢を選択するという入力操作を簡単に実現することができる。
【００４４】
また、第２実施形態にかかるタッチパネル入力装置３０において、選択手段３２により１つの選択肢が選択された状態のときに、パネル面２０ａにおいて、当該選択された選択肢が割り当てられている検知領域への第３態様の接触があったときには、当該選択された選択肢を決定されたものとして判定し、当該選択肢に割り当てられた所定の処理を実行する第１決定手段を備えてもよい。なお、第３態様は、第１態様および第２態様と異なる態様としてもよいし、第３態様を、第２態様と同じ態様としてもよい。例えば、第３態様を、パネル面２０ａへ連続的に２回接触する態様としてもよい。
【００４５】
これにより、簡単な操作で、選択された選択肢を決定させることができる。
【００４６】
また、第２実施形態に係るタッチパネル入力装置３０において、選択手段３２により１つの選択肢が選択された状態で、所定の時間が経過したときには、当該選択された選択肢を決定されたものとして判定し、当該選択肢に割り当てられた所定の処理を実行する第２決定手段を備えてもよい。
【００４７】
これにより、ユーザは選択された選択肢を決定する操作をしなくても、選択された選択肢を決定させることができ、入力操作の操作性を向上させることができる。
【００４８】
また、第２実施形態にかかるタッチパネル入力装置３０においても、第１実施形態にかかるタッチパネル入力装置１０と同様に、ディスプレイ、表示手段および表示形態変更手段を追加してもよい。これにより、ユーザは、ディスプレイ上に表示されたボタンの表示形態を見ることによって、指定された選択肢、選択された選択肢、または決定された選択肢が何であるかを容易に確認することができる。したがって、タッチパネル入力装置の操作性を向上させることができる。
【００４９】
なお、以上のような実施形態は、専用の装置としてハードウェアと一体的に構成する形態で実現してもよいし、コンピュータにプログラムを読み込ませることによって実現してもよい。
【００５０】
【実施例】
以下、本発明の実施例を図５ないし図２４を参照して説明する。以下の実施例は、車載用ＤＶＤプレーヤに本発明を適用したものである。
【００５１】
まず、本実施例にかかる車載用ＤＶＤプレーヤの構成について述べる。
【００５２】
図５は、本実施例にかかる車載用ＤＶＤプレーヤの構成を示している。図５に示すように、本実施例にかかるＤＶＤプレーヤ５０は、システムコントローラ５１、ディスク読取部５２、再生処理部５３、スピーカ５４、ディスプレイ５５およびタッチパネル５６を備えている。
【００５３】
システムコントローラ５１は、ＣＰＵ（セントラルプロセッシングユニット）、ＲＯＭ（リードオンリメモリ）、ＲＡＭ（ランダムアクセスメモリ）等を備えており、ＤＶＤプレーヤ５０全体の制御を行うと共に、タッチパネル入力制御およびボタン表示制御などを行う。
【００５４】
ディスク読取部５２は、スピンドルモータ、光ピックアップ、サーボ制御機構等を備えており、ＤＶＤ１に記録されたオーディオデータおよびビデオデータ等を読み取る。
【００５５】
再生処理部５３は、復調部、デコーダ等を備えており、ディスク読取部５２から読み取られたオーディオデータおよびビデオデータ等を復調・復号し、オーディオ信号およびビデオ信号等を生成する。そして、オーディオ信号はスピーカ５４に出力され、ビデオ信号はディスプレイ５５に出力される。
【００５６】
ディスプレイ５５は、ＤＶＤ１を再生することによって得られた映像、メニュー等を表示する表示装置であり、例えば液晶ディスプレイなどにより構成されている。
【００５７】
タッチパネル５６は、例えば抵抗感圧式のタッチパネルであり、透明のプレート状に形成されている。タッチパネル５６は、外部からパネル面への接触があったときに、パネル面における接触位置を示す検知信号を、システムコントローラ５１に出力する。なお、タッチパネル５６を電磁誘導方式、磁歪方式、光学式などのタッチパネルまたはデジタイザによって構成してもよい。
【００５８】
タッチパネル５６は、ディスプレイ５５の画面上に重なり合うように配置されている。そして、タッチパネル５６とディスプレイ５５とにより、タッチパネルユニット５７が構成され、タッチパネルユニット５７は、例えば自動車のフロントパネルの周辺等に配置できるように、小型な筐体に収容されている。
【００５９】
次に、ＤＶＤプレーヤ５０におけるディスプレイ画面およびタッチパネル５６のパネル面について図６および図７を参照しつつ説明する。
【００６０】
図６はディスプレイ５５とタッチパネル５６とを備えたタッチパネルユニット５７を示している。図６に示すように、タッチパネル５６の透明のパネル面５６ａは、ディスプレイ５５のディスプレイ画面５５ａ上に重なり合うようにして配置されている。
【００６１】
図６に示すように、タッチパネル５６のパネル面５６ａは、タッチパネル５６の接触位置検知精度に合わせて、例えば１６個の検知領域Ｒに分割されている。これら検知領域Ｒは、タッチパネル５６の接触位置検知の最小単位である。すなわち、タッチパネル５６は、パネル面５６ａへの接触があったとき、１６個の検知領域Ｒのうち、どの検知領域Ｒにおいて接触があったかを示す検知信号を出力する。したがって、接触位置が１つの検知領域Ｒ内で異なっていても、タッチパネル５６はその微妙な位置の違いを識別することができない。すなわち、接触位置が１つの検知領域Ｒ内で異なっていても、接触位置が同一の検知領域Ｒ内である以上、タッチパネル５６は、その検知領域Ｒにおいて接触があったことを示す検知信号を出力するのみである。
【００６２】
なお、本実施例では、タッチパネル５６の接触位置検知精度に合わせてパネル面５６ａを１６個の検知領域Ｒに分割したが、タッチパネルの接触位置検知精度が高ければ、パネル面５６ａをさらに細かい検知領域に分割してもよい。一方、タッチパネル５６の接触位置検知精度が低ければ、パネル面５６ａをより大まかに分割して、検知領域Ｒの個数を１６個よりも少なくしてもよい。さらには、タッチパネルの接触位置検知精度が高くても、例えば１６個以下の大まかな検知領域に分割する構成としてもよい。さらには、タッチパネルの接触位置検知精度にかかわらず、検知領域Ｒを１個（パネル面を分割しない）としてもよい。
【００６３】
ディスプレイ画面５５ａには、複数のボタンＢが表示されている。また、各ボタンＢの色は、後述するように、ボタンＢが何も操作されていない状態か、選択候補に指定された状態か、選択された状態か、決定された状態かによって４種類の色に設定・変更される。また、各ボタンＢには、そのボタンが選択・決定されたときに実行すべき処理がそれぞれ割り当てられている。ユーザ（ドライバ）は、ディスプレイ画面５５ａ（パネル面５６ａ）に表示された複数のボタンＢのうちいずれか１つを選択・決定して、そのボタンＢに割り当てられている処理を実行させる。
【００６４】
なお、これらボタンＢの配置、色（表示形態）、および各ボタンＢにいかなる処理を割り当てるかについては、ＤＶＤ規格に基づいて設定することができる。例えば、ＤＶＤビデオの場合には、ＶＯＢに含まれるボタン情報またはハイライト情報によってこれらの事項を設定することができる。
【００６５】
図７は図６中のパネル面５６ａ（ディスプレイ画面５５ａ）の中央に位置する４個の検知領域Ｒ（これらを検知領域Ｒ１〜Ｒ４とする）を拡大して示している。図７に示すように、検知領域Ｒ１には３個のボタンＢ１〜Ｂ３が配置されている。また、検知領域Ｒ２には１個のボタンＢ４が配置されている。さらに、検知領域Ｒ３にはボタンがなく、検知領域Ｒ４には２個のボタンＢ５およびＢ６が配置されている。
【００６６】
また、各ボタンＢ１〜Ｂ６にはボタン番号が割り当てられている。例えば、ボタンＢ１には「１」が、ボタンＢ２には「２」が、ボタンＢ３には「３」が、ボタンＢ４には「４」が、ボタンＢ５には「５」が、ボタンＢ６には「６」が割り当てられている。
【００６７】
なお、上述したように、タッチパネル５６の接触位置検知精度の最小単位は検知領域Ｒである。そのため、例えば検知領域Ｒ１内のボタンＢ１〜Ｂ３のいずれのボタンが押されたか（触れられたか）を、接触位置の検知のみで判別することはできない。そこで、本実施例におけるＤＶＤプレーヤ５０においては、以下に述べるタッチパネル入力制御を実行することにより、ボタンＢ１〜Ｂ３の選択を可能としている。
【００６８】
次に、ＤＶＤプレーヤ５０におけるタッチパネル入力制御およびボタン表示制御について図８ないし図１０を参照して説明する。
【００６９】
図８および図９はＤＶＤプレーヤ５０におけるタッチパネル入力制御およびボタン表示制御を示している。図１０は、図７と同様に、図６中のパネル面５６ａ（ディスプレイ画面５５ａ）の中央に位置する４個の検知領域Ｒ１〜Ｒ４を拡大して示している。
【００７０】
ＤＶＤプレーヤ５０にＤＶＤ１を装填すると、ＤＶＤ１の再生動作が開始され、例えばメニューが再生される。これにより、図１０に示すように、ディスプレイ画面５５ａ（パネル画面５６ａ）に複数のボタンＢが表示され、ユーザの入力待ち状態になる。このとき、ＤＶＤ規格により、ディスプレイ画面５５ａに表示されたボタンＢのうち、例えばボタン番号が最小のボタンが予め選択された状態に設定される。したがって、本実施例ではボタンＢ１が予め選択された状態に設定される。よって、ディスプレイ画面５５ａに表示されたボタンＢの色は、図１０に示すように、ボタンＢ１が、選択された状態を示す色（以下、これを「選択色」という。）で表示され、他のボタンＢ２〜Ｂ６が、何も操作されていない状態を示す色（以下、これを「通常色」という。）で表示される。
【００７１】
このような状態で、システムコントローラ５１は、タッチパネル入力制御およびボタン表示制御の処理を開始する。
【００７２】
図８に示すように、システムコントローラ５１は、まず、ディスプレイ画面５５ａにボタンＢが表示されているか否かを判定する（ステップＳ１）。
【００７３】
ボタンＢが表示されているときには（ステップＳ１：ＹＥＳ）、次に、パネル面５６ａへの接触があったか否かを判定する（ステップＳ２）。
【００７４】
ユーザがディスプレイ画面５５ａに表示されたボタンＢを押すようにして、指先でパネル画面５６ａに触れると（ステップＳ２：ＹＥＳ）、次に、システムコントローラ５１は、連続的に２回の接触があったか否か、すなわちダブルタッチか否かを判定する（ステップＳ３）。
【００７５】
ダブルタッチでないときには、ユーザによる接触が１回（シングルタッチ）であると判定する（ステップＳ３：ＮＯ）。そして、ユーザが触れたパネル面５６ａにおける位置が含まれる検知領域Ｒ内にボタンＢが存在するか否かを判定する（ステップＳ４）。
【００７６】
当該検知領域ＲにボタンＢが存在しないときには（ステップＳ４：ＮＯ）、処理はステップ１に戻る。一方、当該検知領域ＲにボタンＢが存在するときには（ステップＳ４：ＹＥＳ）、次に、当該検知領域Ｒ内に、選択候補に指定されたボタンＢがあるか否かを判定する（ステップＳ５）。
【００７７】
当該検知領域Ｒ内に、選択候補に指定されたボタンＢがないときには（ステップＳ５：ＮＯ）、当該検知領域Ｒ内で最小のボタン番号が割り当てられたボタンＢを選択候補に指定し、そのボタンＢの色を、選択候補に指定された状態を示す色（以下、これを「候補色」という。）に変更する（ステップＳ６）。そして、処理はステップＳ１に戻る。
【００７８】
一方、当該検知領域Ｒ内に選択候補に指定されたボタンＢがあるときには（ステップＳ５：ＹＥＳ）、そのボタンＢを選択候補から外す。そして、当該検知領域Ｒ内に存在するボタンＢのうち、選択候補から外したボタンＢのボタン番号と比較して次に大きなボタン番号が割り当てられているボタンＢを新たな選択候補に指定する。さらに、選択候補から外したボタンＢの色を通常色に変更すると共に、新たに選択候補に指定したボタンＢを候補色に変更する（ステップＳ７）。そして、処理はステップＳ１に戻る。
【００７９】
一方、ステップＳ３で、ユーザによるパネル画面５６ａへの接触が連続的に２回あった（ダブルタッチであった）ときには（ステップＳ３：ＹＥＳ）、次に、システムコントローラ５１は、ユーザが触れた位置に対応する検知領域Ｒ内にすでに選択候補に指定されたボタンＢがあるか否かを判定する（ステップＳ８）。
【００８０】
当該検知領域Ｒ内にすでに選択候補に指定されたボタンＢがあるときには（ステップＳ８：ＹＥＳ）、次に、当該選択候補に指定されたボタンＢと選択されたボタンとが同じか否かを判定する（ステップＳ９）。
【００８１】
当該選択候補に指定されたボタンＢと選択されたボタンＢとが同じでないときには（ステップＳ９：ＮＯ）、当該選択候補に指定されたボタンＢを選択されたものとし、そのボタンの色を選択色に変更する（ステップＳ１０）。さらに、当該ボタンＢを選択候補から外す（ステップＳ１１）。そして、処理はステップＳ１に戻る。
【００８２】
一方、ステップＳ９で、選択候補に指定されたボタンＢと選択されたボタンＢとが同じであるときには（ステップＳ９：ＹＥＳ）、当該ボタンＢを決定されたものとし、そのボタンＢの色を、決定された状態を示す色（以下、これを「決定色」という。）に変更する（ステップＳ１３）。さらに、当該ボタンＢを選択候補から外す（ステップＳ１４）。このとき、システムコントローラ５１は、当該ボタンが決定されたときに実行すべき処理を実行する。この処理の内容によっては、タッチパネル入力制御およびボタン表示制御処理は終了する。
【００８３】
一方、ステップＳ８で、ユーザが触れた位置に対応する検知領域Ｒ内に選択候補に指定されたボタンＢが存在しないときには（ステップＳ８：ＮＯ）、次に、当該検知領域Ｒ内に選択されたボタンＢが存在するか否かを判定する（ステップＳ１２）。
【００８４】
当該検知領域Ｒ内に選択されたボタンＢが存在するときには（ステップＳ１２：ＹＥＳ）、選択されたボタンＢを決定されたものとし、そのボタンの色を決定色に変更し（ステップＳ１３）、当該ボタンＢを選択候補から外す（ステップＳ１４）。このとき、システムコントローラ５１は、当該ボタンが決定されたときに実行すべき処理を実行する。この処理の内容によっては、タッチパネル入力制御およびボタン表示制御処理は終了する。
【００８５】
一方、ステップＳ１２で、ユーザが触れた位置に対応する検知領域Ｒ内に選択されたボタンＢが存在しないときには（ステップＳ１２：ＮＯ）、ステップＳ４〜Ｓ７を実行し、ユーザがパネル面５６ａに１回触れた場合と同様に処理する。
【００８６】
一方、ステップＳ２で、パネル面５６ａへの接触がないときには、処理は図９中のステップＳ１５に移行する。そして、システムコントローラ５１は、選択されたボタンＢが存在するか否かを判定する。
【００８７】
そして、選択されたボタンＢがないときには（ステップＳ１５：ＮＯ）、処理は図８中のステップＳ１に戻る。
【００８８】
一方、選択されたボタンＢがあるときには、次に、当該ボタンＢが選択されてから所定時間が経過したか否かを判定する（ステップＳ１６）。
【００８９】
所定時間が経過していないときには（ステップＳ１６：ＮＯ）、処理は図８中のステップＳ１に戻る。
【００９０】
一方、所定時間が経過したときには（ステップＳ１６：ＹＥＳ）、当該ボタンＢを決定されたものとし、そのボタンの色を決定色に変更する（ステップＳ１７）。さらに、当該ボタンＢを選択候補から外す（ステップＳ１８）。このとき、システムコントローラ５１は、当該ボタンが決定されたときに実行すべき処理を実行する。この処理の内容によっては、タッチパネル入力制御およびボタン表示制御処理は終了する。
【００９１】
なお、図９中のステップＳ１５〜Ｓ１８の処理を行うか否かは、ユーザが任意に設定することができる。ユーザがステップＳ１５〜Ｓ１８の処理を行わない旨の設定をした場合において、図８中のステップＳ２で、パネル面５６ａへの接触がないときには、処理は、直ちに、図８中のステップＳ１に戻る。この結果、選択されたボタンＢが存在していても、そのボタンＢが自動的に決定されることはない。
【００９２】
また、ユーザが、ステップＳ１５ないしＳ１８の処理を行う旨を設定した場合には、さらに、ユーザは、ステップＳ１６における所定時間を任意に設定することができる。例えば、この所定時間を２〜３秒に設定すれば、操作性が向上するであろう。
【００９３】
また、ユーザが、ステップＳ１５〜Ｓ１８の処理を行う旨を設定した場合でも、例えばメニューの再生が開始されてから、パネル面５６ａへの接触が一度もない場合（すなわち、初期状態のまま放置されている場合）には、ステップＳ１５〜Ｓ１８の処理は、例外的に実行されない構成としてもよい。すなわち、この場合に、図８中のステップＳ２で、パネル面５６ａへの接触がないときには、処理は、直ちに、図８中のステップＳ１に戻る。
【００９４】
次に、かかるタッチパネル入力制御およびボタン表示制御の具体的動作を図１０ないし図２４を参照しつつ説明する。
【００９５】
図１１ないし図２４は、図１０と同様に、図６中のパネル面５６ａ（ディスプレイ画面５５ａ）の中央に位置する４個の検知領域Ｒ１〜Ｒ４を拡大して示している。
【００９６】
まず、ボタンＢ１の選択・決定について説明する。
【００９７】
上述したように、メニューが再生された当初の初期状態では、図１０に示すように、例えばパネル面５６ａの検知領域Ｒ１におけるボタンＢ１が選択された状態に設定されている。なお、このように、ある１つのボタンが選択された状態では、他のボタンが選択もしくは決定されるまでその選択状態が維持される。
【００９８】
この状態で、ユーザが検知領域Ｒ１に１回触れると、図１１に示すように、ボタンＢ１が選択候補に指定され、ボタンＢ１が候補色になる。
【００９９】
この状態で、さらにユーザが検知領域Ｒ１に連続的に２回触れると、図１２に示すように、ボタンＢ１が決定され、ボタンＢ１が決定色になる。すなわち、上述のように、ある１つのボタンが一度選択されると、そのボタンは、他のボタンが選択もしくは決定されるまで、その選択状態が維持される。より具体的に説明すると、ある１つのボタンが一度選択状態となると、当該ボタンまたは他のボタンが選択候補に指定されても、そのボタンの選択状態は内部的に維持される。したがって、ユーザがパネル面５６ａを連続的に２回触れたときに、選択候補に指定されたボタンと、選択状態が維持されているボタンとが一致するときには（図８中のステップ９：ＹＥＳ）、そのボタンは、直ちに決定された状態となる。もっとも、ユーザがパネル面５６ａを連続的に２回触れたときに、選択候補に指定されたボタンと、選択状態が維持されているボタンとが異なるときには（図８中のステップ９：ＮＯ）、選択候補に指定されたボタンが選択状態となり、今まで選択状態であったボタンは選択状態から解放される。以上のプロセスに従うと、メニューが再生された直後の初期状態において選択状態であったボタンＢ１は、選択候補に指定された後でも、その選択状態を維持しているので、その時点で、ユーザが検知領域Ｒ１に連続的に２回触れると、ボタンＢ１が決定されるのである。
【０１００】
一方、図１０に示すように、メニューが再生された当初の初期状態（ボタンＢ１が選択された状態）において、ユーザが検知領域Ｒ１を連続的に２回触れると、ボタンＢ１が直ちに決定され、図１２に示すように、決定色となる。
【０１０１】
次に、ボタンＢ２の選択・決定について説明する。
【０１０２】
図１１に示すように、検知領域Ｒ１のボタンＢ１が選択候補に指定されている状態で、ユーザが検知領域Ｒ１に１回触れると、図１３に示すように、ボタンＢ２が選択候補に指定され、ボタンＢ２が候補色になる。なお、このとき、ボタンＢ１はまだ選択状態を維持しているので、ボタンＢ１の選択色は維持される。
【０１０３】
この状態で、さらにユーザが検知領域Ｒ１に連続的に２回触れると、図１４に示すように、ボタンＢ２が選択され、ボタンＢ２が選択色になる。なお、このとき、ボタンＢ２が選択されたことにより、ボタンＢ１は選択状態から解放され、通常色となる。この状態で、さらにユーザが検知領域Ｒ１に連続的に２回触れると、図１５に示すように、ボタンＢ２が決定され、ボタンＢ２が決定色になる。
【０１０４】
なお、ユーザが図９中のステップＳ１５ないしＳ１８の処理を行う旨を設定した場合には、図１４に示すようにボタンＢ２が選択された状態のまま所定時間が経過すると、図１５に示すように、ボタンＢ２が自動的に決定され、ボタンＢ２が決定色となる。
【０１０５】
次に、ボタンＢ３の選択・決定について説明する。
【０１０６】
図１３に示すように、検知領域Ｒ１のボタンＢ２が選択候補に指定されている状態で、ユーザが検知領域Ｒ１に１回触れると、図１６に示すように、ボタンＢ３が選択候補に指定され、ボタンＢ３が候補色になる。この状態で、さらにユーザが検知領域Ｒ１に連続的に２回触れると、図１７に示すように、ボタンＢ３が選択され、ボタンＢ３が選択色になる。この状態で、さらにユーザが検知領域Ｒ１に連続的に２回触れると、図１８に示すように、ボタンＢ３が決定され、ボタンＢ３が決定色になる。
【０１０７】
なお、ユーザが図９中のステップＳ１５ないしＳ１８の処理を行う旨を設定した場合には、図１７に示すようにボタンＢ３が選択された状態のまま所定時間が経過すると、図１８に示すように、ボタンＢ３が自動的に決定され、ボタンＢ３が決定色となる。
【０１０８】
次に、ボタンＢ５の選択・決定について説明する。
【０１０９】
図１０に示すように、検知領域Ｒ１のボタンＢ１が選択された状態で、ユーザが検知領域Ｒ４に１回触れると、図１９に示すように、ボタンＢ５が選択候補に指定され、ボタンＢ５が候補色になる。この状態で、さらにユーザが検知領域Ｒ４に連続的に２回触れると、図２０に示すように、ボタンＢ５が選択され、ボタンＢ５が選択色となる。この状態で、さらにユーザが検知領域Ｒ４に連続的に２回触れると、図２１に示すように、ボタンＢ５が決定され、ボタンＢ５が決定色になる。
【０１１０】
なお、ユーザが図９中のステップＳ１５ないしＳ１８の処理を行う旨を設定した場合には、図２０に示すようにボタンＢ５が選択された状態のまま所定時間が経過すると、図２１に示すように、ボタンＢ５が自動的に決定され、ボタンＢ５が決定色となる。
【０１１１】
次に、ボタンＢ６の選択・決定について説明する。
【０１１２】
図１９に示すように、検知領域Ｒ４のボタンＢ５が選択候補に指定された状態で、ユーザが検知領域Ｒ４に１回触れると、図２２に示すように、ボタンＢ６が選択候補に指定され、ボタンＢ６が候補色になる。この状態で、さらにユーザが検知領域Ｒ４に連続的に２回触れると、図２３に示すように、ボタンＢ６が選択され、ボタンＢ６が選択色になる。この状態で、さらにユーザが検知領域Ｒ４に連続的に２回触れると、図２４に示すように、ボタンＢ６が決定され、ボタンＢ６が決定色になる。
【０１１３】
なお、ユーザが図９中のステップＳ１５ないしＳ１８の処理を行う旨を設定した場合には、図２３に示すようにボタンＢ６が選択された状態のまま所定時間が経過すると、図２４に示すように、ボタンＢ６が自動的に決定され、ボタンＢ６が決定色となる。
【０１１４】
以上のような実施例によれば、ユーザはラフな操作で、ディスプレイ画面５５ａ（パネル面５６ａ）に表示された多数のボタンＢの中から所望の１つのボタンＢを容易に選択し、決定することができる。すなわち、ユーザが多数のボタンＢの中から所望の１つのボタンＢを選択・決定するのに必要な動作は、パネル面５６ａに１回触れる動作と、パネル面５６ａに連続的に２回触れる動作だけである。したがって、ＤＶＤプレーヤ５０が多機能であり、様々な機能を多数のボタンＢによって選択・決定させるように設定した場合でも、ユーザはラフな動作で、各機能を容易に選択・決定することができる。これにより、ＤＶＤプレーヤ５０の操作性を向上させることができる。
【０１１５】
また、パネル面５６ａに１回触れる動作と、パネル面５６ａに連続的に２回触れる動作だけで、ボタンを選択・決定することができるので、本実施例で示したように接触位置の検知精度が低いタッチパネル５６を用いた場合でも、多数のボタンＢの中から１つのボタンＢを選択するという入力操作を簡単に実現することができる。
【０１１６】
また、ユーザが図９中のステップＳ１５ないしＳ１８の処理を行う旨の設定をした場合には、１つのボタンＢが選択された状態で何もせずに所定時間経過すると自動的に当該ボタンＢが決定される。これにより、決定操作を省略することができ、操作性を向上させることができる。
【０１１７】
さらに、ボタンＢの色を、当該ボタンＢが何も操作されていない状態か、選択候補に指定された状態か、選択された状態か、決定された状態かのそれぞれに応じて異なる色に変更・設定する構成としたから、ユーザはボタンの状態を容易に確認することができ、ボタン操作の操作性を向上させることができる。
【０１１８】
なお、上述した実施例では、本発明を車載用ＤＶＤプレーヤに適用した場合を例に挙げたが、本発明はこれに限らず、カーナビゲーション装置、コピー装置、現金自動支払機、自動券売機、携帯情報端末などといった他の機器のユーザ・インタフェースに適用することができる。
【０１１９】
また、本発明は、請求の範囲および明細書全体から読み取るこのできる発明の要旨または思想に反しない範囲で適宜変更可能であり、そのような変更を伴うタッチパネル入力装置およびタッチパネル入力方法並びにこれらの機能を実現するコンピュータプログラムもまた本発明の技術思想に含まれる。
【図面の簡単な説明】
【図１】タッチパネルと第１実施形態にかかるタッチパネル入力装置の構成を示すブロック図である。
【図２】第１実施形態にかかるタッチパネル入力装置のパネル面を示す概念図である。
【図３】タッチパネルと第２実施形態にかかるタッチパネル入力装置の構成を示すブロック図である。
【図４】第２実施形態にかかるタッチパネル入力装置のパネル面を示す概念図である。
【図５】実施例にかかるＤＶＤプレーヤの構成を示すブロック図である。
【図６】実施例にかかるＤＶＤプレーヤのタッチパネルユニットを示す正面図である。
【図７】図６中のタッチパネルユニットのパネル面（ディスプレイ画面）を拡大して示す正面図である。
【図８】実施例にかかるＤＶＤプレーヤにおけるタッチパネル入力制御およびボタン表示制御を示すフローチャートである。
【図９】図８に続くタッチパネル入力制御およびボタン表示制御を示すフローチャートである。
【図１０】実施例におけるパネル面（ディスプレイ画面）の第１の状態を示す正面図である。
【図１１】実施例におけるパネル面（ディスプレイ画面）の第２の状態を示す正面図である。
【図１２】実施例におけるパネル面（ディスプレイ画面）の第３の状態を示す正面図である。
【図１３】実施例におけるパネル面（ディスプレイ画面）の第４の状態を示す正面図である。
【図１４】実施例におけるパネル面（ディスプレイ画面）の第５の状態を示す正面図である。
【図１５】実施例におけるパネル面（ディスプレイ画面）の第６の状態を示す正面図である。
【図１６】実施例におけるパネル面（ディスプレイ画面）の第７の状態を示す正面図である。
【図１７】実施例におけるパネル面（ディスプレイ画面）の第８の状態を示す正面図である。
【図１８】実施例におけるパネル面（ディスプレイ画面）の第９の状態を示す正面図である。
【図１９】実施例におけるパネル面（ディスプレイ画面）の第１０の状態を示す正面図である。
【図２０】実施例におけるパネル面（ディスプレイ画面）の第１１の状態を示す正面図である。
【図２１】実施例におけるパネル面（ディスプレイ画面）の第１２の状態を示す正面図である。
【図２２】実施例におけるパネル面（ディスプレイ画面）の第１３の状態を示す正面図である。
【図２３】実施例におけるパネル面（ディスプレイ画面）の第１４の状態を示す正面図である。
【図２４】実施例におけるパネル面（ディスプレイ画面）の第１５の状態を示す正面図である。
【符号の説明】
１０，３０，５１…タッチパネル入力装置（システムコントローラ）
２０，５６…タッチパネル
２０ａ，５６ａ…パネル面
５５…ディスプレイ
【図１】
2004094394.tif 000003
【図２】
2004094394.tif 000004
【図３】
2004094394.tif 000005
【図４】
2004094394.tif 000006
【図５】
2004094394.tif 000007
【図６】
2004094394.tif 000008
【図７】
2004094394.tif 000009
【図８】
2004094394.tif 000010
【図９】
2004094394.tif 000011
【図１０】
2004094394.tif 000012
【図１１】
2004094394.tif 000013
【図１２】
2004094394.tif 000014
【図１３】
2004094394.tif 000015
【図１４】
2004094394.tif 000016
【図１５】
2004094394.tif 000017
【図１６】
2004094394.tif 000018
【図１７】
2004094394.tif 000019
【図１８】
2004094394.tif 000020
【図１９】
2004094394.tif 000021
【図２０】
2004094394.tif 000022
【図２１】
2004094394.tif 000023
【図２２】
2004094394.tif 000024
【図２３】
2004094394.tif 000025
【図２４】
2004094394.tif 000026